(57)【要約】【課題】多様な建枠間隔に少ない部品点数で対応可能な継足部材を提供する。【解決手段】ソケット１は、垂直方向Ｖに積層された上下の建枠１１ａ、１１ｂ間に介装されるジョイント２０に連結して用いられる。ソケット１は、上方建枠１１ａの下端に連結されるジョイント２の下部を収容し、下方建枠１１ｂの上端に連結される。【選択図】図３
2018091079.tif 000002
【特許請求の範囲】
【請求項１】
垂直方向に積層された上下の建枠間に介装されるジョイントに連結される継足部材であって、
上方建枠の下端に連結される前記ジョイントの下部を収容するように筒状に形成されるとともに、下方建枠の上端に連結可能であることを特徴とする継足部材。
【請求項２】
前記ジョイントの下部を収容するとともに、前記ジョイントの軸線方向の略中央に外装されたカラーを支持する大径部と、
該大径部に連続して設けられ、前記ジョイントより小径に形成され、前記下方建枠の上端に連結される小径部と、
を備えていることを特徴とする請求項１記載の継足部材。
【発明の詳細な説明】
【技術分野】
【０００１】
本発明は、枠組足場に用いられる継足部材に関し、特に、垂直方向に積層される上下の建枠間に介装されるジョイントに連結されて上下建枠の間隔を調整可能な継足部材に関する。
【背景技術】
【０００２】
建設作業に用いられる枠組足場は、建枠を垂直方向の上方に積層連結することにより構築される。一般的な建枠は、門又は鳥居型を呈しており、脚柱の上端に横架材が架設される。中空の脚柱内にジョイントが挿通されることにより、建枠が垂直方向に積層される。
【０００３】
特許文献１には、ジョイントパイプにカラーが外挿されたジョイントが開示されている。このようなジョイントは、小径のジョイントパイプに大径のカラーを挿通した状態でこれらを一体に固着している。カラーは、上下の建枠の間隔を拡げるために従来品に比べて約１００ｍｍ長くなっている。
【先行技術文献】
【特許文献】
【０００４】
【特許文献１】特許第２５００８９９号公報
【発明の概要】
【発明が解決しようとする課題】
【０００５】
しかしながら、上述したようなジョイントでは、多様な建枠間隔に対応するためには、異なる長さのカラーを有するジョイント及び該ジョイントに内装されるロック機構を大量に用意しなければならないという問題があった。
【０００６】
そこで、多様な建枠間隔に少ない部品点数で対応するために解決すべき技術的課題が生じてくるのであり、本発明は、この課題を解決することを目的とする。
【課題を解決するための手段】
【０００７】
本発明は上記目的を達成するために提案されたものであり、請求項１記載の発明は、垂直方向に積層された上下の建枠間に介装されるジョイントに連結される継足部材であって、上方建枠の下端に連結される前記ジョイントの下部を収容するように筒状に形成されるとともに、下方建枠の上端に連結可能である継足部材を提供する。
【０００８】
この構成によれば、ジョイントと下方建枠との間に継足部材が介在することにより、単一のジョイントと様々な長さの継足部材とを組み合わせることで、継足部材の長さに応じて上下の建枠の間隔を任意に調整することができる。
【０００９】
請求項２記載の発明は、請求項１記載の発明の構成に加えて、前記ジョイントの下部を収容するとともに、前記ジョイントの軸線方向の略中央に外装されたカラーを支持する大径部と、該大径部に連続して設けられ、前記ジョイントより小径に形成され、前記下方建枠の上端に連結される小径部と、を備えている継足部材を提供する。
【００１０】
この構成によれば、請求項１記載の発明の効果に加えて、ジョイントと下方建枠との間に大径部が介装される分だけ上下の建枠の間隔を拡げることができる。
【発明の効果】
【００１１】
本発明は、ジョイントと下方建枠との間に継足部材が介在することにより、単一のジョイントと様々な長さの継足部材とを組み合わせることで、継足部材の長さに応じて上下の建枠の間隔を任意に調整することができる。
【図面の簡単な説明】
【００１２】
【図１】本発明の一実施例に係る継足部材を適用した枠組足場を示す正面図。
【図２】図１に示す枠組足場の分解図及び一部拡大図。
【図３】図２の継足部材を示す斜視図。
【図４】図２の継足部材を示す正面図、底面図、側面図及び縦断面図。
【発明を実施するための形態】
【００１３】
本発明は、多様な建枠間隔に少ない部品点数で対応するという目的を達成するために、垂直方向に積層された上下の建枠間に介装されるジョイントに連結される継足部材であって、上方建枠の下端に連結されるジョイントの下部を収容するように筒状に形成されるとともに、下方建枠の上端に連結可能であることにより実現する。
【実施例】
【００１４】
以下、本発明の一実施例に係る継足部材について説明する。なお、以下の実施例において、構成要素の数、数値、量、範囲等に言及する場合、特に明示した場合及び原理的に明らかに特定の数に限定される場合を除き、その特定の数に限定されるものではなく、特定の数以上でも以下でも構わない。
【００１５】
また、構成要素等の形状、位置関係に言及するときは、特に明示した場合及び原理的に明らかにそうでないと考えられる場合等を除き、実質的にその形状等に近似又は類似するもの等を含む。
【００１６】
また、図面は、特徴を分かり易くするために特徴的な部分を拡大する等して誇張する場合があり、構成要素の寸法比率等が実際と同じであるとは限らない。また、断面図では、構成要素の断面構造を分かり易くするために、一部の構成要素のハッチングを省略することがある。なお、以下において、「上」、「下」の語は、垂直方向における上下がそれぞれ対応するものである。
【００１７】
図１は、継足部材を適用した枠組足場１０を示す正面図である。図２は、枠組足場１０の分解図及び一部拡大図である。
【００１８】
まず、枠組足場１０の構造について説明する。枠組足場１０は、建設現場等で建物の外壁面に沿って設置される仮設足場である。枠組足場１０は、ジョイント２０及び継足部材としてのソケット１を介して垂直方向Ｖに積層された建枠１１が連結されることにより構築される。以下、上方に配置された建枠を上方建枠１１ａを称し、下方に配置された建枠を下方建枠１１ｂを称し、上下の建枠を区別しない場合には建枠１１と総称する。
【００１９】
建枠１１は、正面から視て門型に形成されている。建枠１１は、垂直方向に延伸された中空の脚柱１２と、隣り合う脚柱１２に架設されて脚柱１２を連結する水平部１３と、脚柱１２に平行して設けられて両端がそれぞれ脚柱１２及び水平部１３に固着された補強枠１４と、を備えている。
【００２０】
ジョイント２０の上端は、上方建枠１１ａの脚柱１２の下部開口部１２ａに挿通される。また、ソケット１の下端は、下方建枠１１ｂの脚柱１２の上部開口部１２ｂに挿通される。ジョイント２０及び脚柱１２並びにソケット１及び脚柱１２は、図示しない公知のロックピンやアームロック等を介して連結されている。図１に示すように、上下の建枠１１の間隔は、後述する大径部６の分だけ垂直方向Ｖに延伸されている。
【００２１】
ジョイント２０は、公知の構成であり、例えば鋼管である。ジョイント２０は、小径で中空円筒状のジョイントパイプ２１と、環状のカラー２２と、を備えている。
【００２２】
ジョイントパイプ２１は、軸線方向Ｌに沿って延伸された中空円筒状に形成されている。
【００２３】
カラー２２は、ジョイントパイプ２１の略中央に外装された状態で固着されている。カラー２２は、溶接等でジョイントパイプ２１に固着されている。カラー２２は、外周の一部が外側に向かって延びるように形成されている。
【００２４】
次に、ソケット１の構成について説明する。図３は、ソケット１を示す斜視図である。図４（a）はソケット１を示す正面図であり、図４（ｂ）は底面図であり、図４（ｃ）は側面図であり、図４（ｄ）は図４（ｂ）のＩ―Ｉ線断面図である。
【００２５】
ソケット１は、鋼管である。ソケット１は、大径部２と、小径部３と、を備えている。ソケット１は、大径部２と小径部３とが連続しており、小径部３から大径部２に向かって拡径する略中空円筒状に形成されている。なお、ソケット１は、鉄製のパイプ等の一部を小径に加工して成るものや、別体の大径部２及び小径部３を溶接等で接合させて成るものであっても構わない。
【００２６】
大径部２は、ジョイントパイプ２１より大径に形成され、ジョイントパイプ２１を内部に収容可能である。大径部２の上端面２ａは、カラー２２を支持可能である。大径部２の外径は、例えば約４３ｍｍに設定される。また、大径部２には、第１のピン取付孔２ｂが穿設されている。
【００２７】
小径部３は、ジョイントパイプ２１より小径に形成されている。小径部３の外径は、例えば約３６ｍｍに設定される。小径部７の下端部は、カービング加工が施されている。小径部３には、第２のピン取付孔３ａが穿設されている。
【００２８】
大径部２と小径部３とは、略同じ長さに形成されており、例えば長さ約１００ｍｍに設定される。なお、大径部２及び小径部３の長さは任意に変更可能であり、長さの異なる大径部２を備えたソケット１を用意することにより、上下の建枠１１の間隔を任意に調整することができる。
【００２９】
第１のピン取付孔２ｂには、ジョイントパイプ２１と大径部２とを上方建枠１１ａに連結する図示しない公知のロックピンが挿通される。
【００３０】
第２のピン取付孔３ａには、小径部３を下方建枠１１ｂに対して抜け止めする図示しないロックピンが挿通される。なお、ソケット１と建枠１１とを連結するロック機構は、ロックピンに限定されず、アームロック型等の如何なるものであっても構わない。
【００３１】
大径部２と小径部３との接続部分には、段差部４が設けられている。段差部４は、軸線方向Ｌに対して垂直に形成されており、下方建枠１１ｂの脚柱１２の上端面に支持されることで、ソケット１が下方建枠１１ｂに対して垂直にされる。
【００３２】
このようにして本発明は、ジョイント２０と建枠１１との間にソケット１が介在することにより、単一のジョイント２０と様々な長さのソケット１とを組み合わせることで、ソケット１の長さに応じて上下の建枠１１の間隔を任意に調整することができる。
【００３３】
また、ジョイント２０と下方建枠１１ｂとの間に大径部２が介装される分だけ上下の建枠１１の間隔を拡げることができる。
【００３４】
さらに、段差部４がジョイント２０を水平に支持するため、上方建枠１１ａを下方建枠１１ｂに安定して積み重ねることができる。
【００３５】
なお、本発明は、本発明の精神を逸脱しない限り種々の改変をなすことができ、そして、本発明が該改変されたものにも及ぶことは当然である。
【符号の説明】
【００３６】
１  ・・・  ソケット（継足部材）
２  ・・・  大径部
２ａ・・・  上端面
２ｂ・・・  第１のピン取付孔
３  ・・・  小径部
３ａ・・・  第２のピン取付孔
４  ・・・  段差部
１０  ・・・  枠組足場
１１  ・・・  建枠
１１ａ・・・  上方建枠
１１ｂ・・・  下方建枠
１２  ・・・  脚柱
１２ａ・・・  下部開口部
１２ｂ・・・  上部開口部
１３  ・・・  水平部
１４  ・・・  補強枠
２０  ・・・  ジョイント
２１  ・・・  ジョイントパイプ
２２  ・・・  カラー
【図１】
2018091079.tif 000003
【図２】
2018091079.tif 000004
【図３】
2018091079.tif 000005
【図４】
2018091079.tif 000006